(57)【要約】      （修正有）【課題】ポケットに差した筆記具を最小限の動作で容易に取り出せ、作業能率の向上に資するようにした作業服を提供する。【解決手段】作業服は、前身頃に少なくとも胸ポケットを有し、少なくとも一方の袖部には、袖口に近い部位に筆記具を差すことが可能な袖口ポケット３２を有する。【選択図】図１
0003207569.tif 000002
【実用新案登録請求の範囲】
【請求項１】
前身頃に少なくとも胸ポケットを有する作業服において、少なくとも一方の袖部には、袖口に近い部位に筆記具を差すことが可能な袖口ポケットを有することを特徴とする作業服。
【請求項２】
前記袖口ポケットは、左袖部の袖口に近い位置に設けられたことを特徴とする請求項１に記載の作業服。
【請求項３】
前記袖口ポケットは、多重ポケットからなることを特徴とする請求項２に記載の作業服。
【請求項４】
前記袖口に近い位置には高視認反射テープが設けられたことを特徴とする請求項２に記載の作業服。
【請求項５】
前記左袖部の二の腕位置にも筆記具差しポケットが設けられたことを特徴とする請求項２に記載の作業服。
【請求項６】
前記作業服の上衣に前記袖口ポケットを有することを特徴とする請求項１乃至５のいずれかの項に記載の作業服。
【考案の詳細な説明】
【技術分野】
【０００１】
本考案の実施形態は、作業服に係り、特に、ペン差しに適したポケットを袖口に有する作業服に関する。
【背景技術】
【０００２】
工場や事務所などでは、勤務中の服装として、作業服が広く利用されている。作業服は、軽快な動作を可能にする機能性や、耐久性、身体を保護する安全性などにすぐれた実用的な衣服である。
【０００３】
作業服の上衣には、一般に胸ポケットが設けられている。胸ポケットの他に、袖の二の腕の位置にポケットを設けた作業服上衣もある。これらのポケットは、ボールペンなどの筆記用具や携帯電話をいれるのに用いられる。
【０００４】
作業服上衣では、上衣のポケットの形状について、従来から種々の改良が提案されている（例えば、特許文献１）。この特許文献１に係る作業服上衣１では、胸ポケットのフラップを上縁に対応して斜めに逢着することにより、ポケットに収納した携帯電話の取り出しを容易にしている。
【先行技術文献】
【特許文献】
【０００５】
【特許文献１】実用新案登録第３０４４７７５号公報
【考案の開示】
【考案が解決しようとする課題】
【０００６】
従来、胸ポケットや二の腕ポケットのある作業服を着用した作業員が、胸ポケットまたは二の腕ポケットに差してある筆記具を取り出す場合、次のような動作を組み合わせることになる。
【０００７】
右利きの作業員が左胸のポケットに筆記具を差している場合、利き手の右手で筆記具を取り出すことになるが、右腕を胸に近づけるように曲げる動作、筆記具を指でつまんで右腕を上げながら取り出すという動作からなる。二の腕の肩に近い位置にあるポケットから筆記具を取り出す動作も同様である。
【０００８】
このように、ポケットから筆記具を取り出すには、一動作では済まない。通常、このことが問題になることは少ないが、作業状況によっては、例えば、内装作業において、壁際の高い位置に左手で定規を押さえたまま筆記具を取り出そうとするような場合に、筆記具を取り出し難かったりすることがある。
【０００９】
本考案の目的は、前記従来技術の有する問題点に鑑みなされたものであって、ポケットに差した筆記具を最小限の動作で容易に取り出せ、作業能率の向上に資するようにした作業服を提供することを目的としている。
【課題を解決するための手段】
【００１０】
前記の目的を達成するために、本考案は、前身頃に少なくとも胸ポケットを有する作業服において、少なくとも一方の袖部には、袖口に近い部位に筆記具を差すことが可能な袖口ポケットを有することを特徴とするものである。
【図面の簡単な説明】
【００１１】
【図１】本考案の一実施形態による作業服の上衣の前面部分を示す図である。
【図２】図１の作業服上衣の背面部分を示す図である。
【図３】作業服上衣の袖口ポケットを示す図である。
【考案を実施するための最良の形態】
【００１２】
以下、本考案を作業服上衣に適用した一実施形態について、添付の図面を参照しながら説明する。  
図１は、本実施形態による作業服上衣の前面部分を示す。図２は、作業服上衣の背面部分を示している。これら図１、図２において、参照番号１０は、作業服上衣を示している。この作業服上衣は、上衣本体１２と、襟部１４と、左袖部１６と、右袖部１７とが縫合されて作られている。作業服の布地には、例えば、ポリエステルと綿の混紡が用いられている。
【００１３】
上衣本体１２は、左前身頃１８と、右前身頃１９と、後見頃２０と、を有している。左前身頃１８には、胸ポケット２１と脇ポケット２２が設けられている。胸ポケット２１は、フラップ２３と、ファスナー２４付きの補助ポケットを有するポケットである。同様に、右前身頃１９にも、フラップ２５付きの胸ポケット２６と脇ポケット２７が設けられている。なお、左前身頃１８と右前身頃１９は、ファスナー２８によって前合わせされるようになっているが、これに限定されるものではなく、ボタンを用いるようにしてもよい。
【００１４】
左袖部１６と、右袖部１７は、この実施形態では、ラグラン袖になっており、それぞれ左前身頃１８と右前身頃１９の肩から繋がっており、腕の軽快な動作を確保している。左袖部１６の二の腕には、筆記具を差し入れられるように、ペン差しポケット３０が設けられている。
【００１５】
本実施形態による作業服上衣では、左袖部１６の二の腕のペン差しポケット３０に加えて、袖口３１に近い位置に、主として筆記具を収容することを念頭においた袖口ポケット３２が設けられている。
【００１６】
ここで、図３は、左袖部１６の袖口ポケット３２を示す図である。図３に示されるように、袖口ポケット３２は、２枚の布を重ねて、第１ポケット３３ａと第２ポケット３３ｂからなる二重ポケットに縫い合わされている。本実施形態では、二重ポケットにした袖口ポケット３２を例に挙げているが、一重あるいは三重ポケットであってもよい。
【００１７】
袖口ポケット３２の第１ポケット３３ａと第２ポケット３３ｂのポケット口は、いずれも袖口３１側とは反対側に開口するようになっている。また、図３に示されるように、袖口ポケット３２の第１ポケット３３ａと第２ポケット３３ｂの深さは、特に、限定されるものではないが、少なくとも大きい方の第１ポケット３３ａは、ボールペンなどの筆記具のクリップが開口縁部を挟める程度の深さを有していることが望ましい。あまり浅すぎると、クリップを引っ掛けることができないからである。  
袖口ポケット３２の第１ポケット３３ａと第２ポケット３３ｂの幅も特に限定されるものではないが、本実施形態の場合、第１ポケット３３ａと第２ポケット３３ｂは、それぞれ中央深さ方向に縫い目があり、２つに区分けされている。各ポケットには、２〜３本の筆記具を差し込めるようになっている。
【００１８】
図３には、左袖部１６に腕を通したときの、手と袖口ポケット３２の位置関係が示されている。袖口ポケット３２は、図３に示されるように、手の甲側にあることが好ましいが、必ずしもこれに限定されるものではない。
【００１９】
なお、左袖部１６および右袖部１７には、適当な位置に、ＪＩＳで規格された高視認規格ＪＩＳ  Ｔ８１２７に適合するように、再帰性反射テープ４０が縫着されている。左袖部１６では、再帰性反射テープ４０より袖口側に袖口ポケット３２が位置している。なお、図２に示すように、襟元には、蛍光布４１が縫着されている。
【００２０】
本考案による作業服上衣は、以上のように構成されるものであり、次に、その効果について説明する。  
本実施形態による作業服上衣では、ポケットとして、胸ポケット２１、２６や脇ポケット２２、２７の他、左袖部１６には、二の腕のペン差しポケット３０に加えて袖口ポケット３２がある。
【００２１】
胸ポケット２１、２６には、例えば、手帳、名刺入れ、携帯電話、キーホルダなどを収容し、ペン差しポケット３０には、ボールペンなどの筆記具を入れておくというように、ポケットの使い分けができる。さらに、筆記具については、ペン差しポケット３０と袖口ポケット３２を次のように使い分けすることができる。
【００２２】
例えば、事務所での事務作業や軽作業では、筆記具を胸ポケット２１、２６や二の腕のペン差しポケット３０に差しておき、必要なときに筆記具を取り出す。また、工場内や野外での作業も同様である。袖口ポケット３２に筆記具を差した場合には、筆記具が作業の邪魔になることがあるからである。
【００２３】
他方、作業によっては、袖口ポケット３２に筆記具を差しておいた方がよい場合がある。例えば、住宅の新築やリフォームなどの内装作業において、壁際の高い位置に左手で定規を押さえたまま筆記具を右手で取り出そうとするような場合である。
【００２４】
この場合、作業員は図３に示されるように、袖口ポケット３２に筆記具を差しておけば、二の腕のペン差しポケット３０に差していた場合と異なり、右腕を肩に近づけるように曲げるといった動作をすることなく、きき手の右手で筆記具を速やかに一動作で取り出すことができる。
【００２５】
このように、袖口ポケット３２に筆記具を際しておけば、最小限の動作で容易に取り出せるので、作業能率を大きく向上させることができる。
【００２６】
以上、本考案に係る作業服について、好適な実施形態として、作業服の上衣を挙げて説明したが、本考案は、作業服上衣に限定されることなく、例えば、つなぎの作業服にも適用することができる。また、実施形態では、右利きを前提として、左袖部に袖口ポケットを設けた例を挙げたが、左利き用に、左袖部に袖口ポケットを設けるようにしてもよいことはもちろんである。また、左右両袖部に袖口ポケットを設けてもよい。
【符号の説明】
【００２７】
１０…作業服上衣、１２…上衣本体、１４…襟部、１６…左袖部、１７…右袖部、１８…左前身頃、１９…右前身頃、２０…後身頃、２１…胸ポケット、２２…脇ポケット、２６…胸ポケット、３０…ペン差しポケット、３１…袖口、３２…袖口ポケット、４０…再帰性反射テープ
【図１】
0003207569.tif 000003
【図２】
0003207569.tif 000004
【図３】
0003207569.tif 000005